(57)【要約】【課題】複数の使用態様において良好なコントラスト比が得られるプロジェクターを提供する【解決手段】  本発明のプロジェクターは、光源、投影レンズ、結像ユニット、及び光束遮断モジュールを有し、結像ユニットは、色生成手段とライトバルブを含む。照明光は色生成手段に照射すると、色生成手段は照明光を複数の異なる色の光束に分解する。分解された光束は光束遮断モジュールに照射し、光束遮断モジュールは色生成手段の状態に応じて所定の時間内に通過する照明光を遮断する。遮断されていない光束は、ライトバルブにより映像に変換され、投影レンズによりスクリーンＳへ投影され、映像が形成される。光束遮断モジュールを設けることにより、複数の使用態様にわたって高いコントラスト比が得られる。【選択図】図３
2006053509.tif 000002
【特許請求の範囲】
【請求項１】
スクリーン上に映像を投写するプロジェクターであって、
照明光を発する光源と、
前記照明光を前記スクリーンへ投射する投影レンズと、
前記光源と前記投影レンズの間に設けられる結像ユニットと、
前記光源と前記スクリーンの間に設けられ、前記照明光の光路に設置可能な光束遮断モジュールと
を有し、
前記結像ユニットは、色生成手段と、ライトバルブとを含み、
前記光束遮断モジュールは、前記照明光の光路に設置された場合に、前記色生成手段の状態に応じて所定の時間内に前記照明光を遮断する
プロジェクター。
【請求項２】
前記光束遮断モジュールは、
前記色生成手段の近傍に配置され、前記色生成手段の状態を測定する光センサーと、
前記光源と前記スクリーンの間に設けられる光束遮断ユニットと、
前記光束遮断ユニットを前記照明光の光路に設置し、または、前記光束遮断ユニットを前記照明光の光路から離れさせる駆動部と
を有する
請求項１に記載のプロジェクター。
【請求項３】
前記光束遮断ユニットは、前記光源と前記結像ユニットの間に設けられる
請求項２に記載のプロジェクター。
【請求項４】
前記光束遮断ユニットは、前記結像ユニットに設けられる
請求項２に記載のプロジェクター。
【請求項５】
前記光束遮断ユニットは、前記結像ユニットと前記投影レンズの間に設けられる
請求項２に記載のプロジェクター。
【請求項６】
前記光束遮断ユニットは、前記投影レンズに設けられる
請求項２に記載のプロジェクター。
【請求項７】
前記光束遮断ユニットは、前記投影レンズと前記スクリーンの間に設けられる
請求項２に記載のプロジェクター。
【請求項８】
前記色生成手段、前記ライトバルブ、及び前記光束遮断モジュールが同期に動作するように制御を行う制御ユニットをさらに有する
請求項１に記載のプロジェクター。
【請求項９】
前記ライトバルブを制御する第１の制御部と、
前記光束遮断ユニットを制御する第２の制御部と、
前記色生成手段を制御する第３の制御部と
を備える制御ユニットを更に有し、
当該第１の制御部、第２の制御部、第３の制御部は、前記色生成手段、前記ライトバルブ、及び前記光束遮断モジュールが同期に動作するように制御を行う
請求項２に記載のプロジェクター。
【請求項１０】
前記色生成手段は、カラー・ホイールを含む
請求項１に記載のプロジェクター。
【請求項１１】
前記カラー・ホイールは、赤色フィルタ、緑色フィルタ、及び青色フィルタを含む
請求項１０に記載のプロジェクター。
【請求項１２】
前記カラー・ホイールは、赤色フィルタ、緑色フィルタ、青色フィルタ、及び白色フィルタを含む
請求項１０に記載のプロジェクター。
【請求項１３】
前記色生成手段は、カラー・ドラムを含む
請求項１に記載のプロジェクター。
【請求項１４】
前記カラー・ドラムは、赤色フィルタ、緑色フィルタ、及び青色フィルタを含む
請求項１３に記載のプロジェクター。
【請求項１５】
前記カラー・ドラムは、赤色フィルタ、緑色フィルタ、青色フィルタ、及び白色フィルタを含む
請求項１３に記載のプロジェクター。
【請求項１６】
第１のモードと第２のモードで動作可能であり、スクリーン上に映像を投写するプロジェクターであって、
照明光を発する光源と、
前記照明光を前記スクリーンへ投射する投影レンズと、
前記光源と前記投影レンズの間に設けられる結像ユニットと、
前記光源と前記スクリーンの間に設けられ、前記照明光の光路に設置可能な光束遮断モジュールと
を有し、
前記結像ユニットは、色生成手段と、ライトバルブとを含み、
前記第１のモードにおいて、前記光束遮断モジュールは前記照明光の光路に設置され、所定の時間内に前記照明光を遮断し、
前記第２のモードにおいて、前記光束遮断モジュールは前記照明光の光路に設置されていない
プロジェクター。
【請求項１７】
前記光束遮断モジュールは、
前記色生成手段の近傍に配置され、前記色生成手段の状態を測定する光センサーと、
前記光源と前記スクリーンの間に設けられる光束遮断ユニットと、
前記光束遮断ユニットを前記照明光の光路に設置し、または、前記光束遮断ユニットを前記照明光の光路から離れさせる駆動部と
を有する
請求項１６に記載のプロジェクター。
【請求項１８】
前記第１のモードは、高飽和度モードであり、
前記第２のモードは、高輝度モードである
請求項１６に記載のプロジェクター。
【発明の詳細な説明】
【技術分野】
【０００１】
本発明はプロジェクターに関し、特に、複数の使用態様において良好な映像コントラスト比を維持することができるプロジェクターに関する。
【背景技術】
【０００２】
近年、大きくて重いＣＲＴ（Ｃａｔｈｏｄｅ  Ｒａｙ  Ｔｕｂｅ）プロジェクターは、液晶プロジェクターやＤＬＰ（Ｄｉｇｉｔａｌ  Ｌｉｇｈｔ  Ｐｒｏｃｅｓｓｉｎｇ）プロジェクターに取って代わられつつある。これら新しいプロジェクターは薄くて軽く、可撓性を有し、また、直接ディジタル製品と接続して映像を投写することができる。低価格化及び多機能化につれて、これらのプロジェクターは、会社や学校、及びほかの公共的場所でプレゼンテーションに使用される他に、その用途は一般家庭にも拡大されつつ、例えば、映画観賞などに用いられている。
【０００３】
プロジェクターは、プレゼンテーションに用いる場合に、高い輝度が要求され、映画観賞に用いる場合に、高い色飽和度が要求される。そのため、高い輝度と高い飽和度両方の要求を満たすプロジェクターは、今後研究開発の傾向である。
【０００４】
図１は、従来の単板式ライトバルブ・プロジェクターの構成を示す概略図である。
【０００５】
図１に示すように、従来のプロジェクター１００は、光束１１２を発する光源１１０、投影レンズ１２０、結像ユニット１３０、及び制御ユニット１５０を備えている。結像ユニット１３０は、光源１１０と投影レンズ１２０の間に設けられる。従来の結像ユニット１３０は、カラー・ホイール１３２及びディジタル・マイクロミラ・デバイス（ＤＭＤ）１３４からなる。制御ユニット１５０は、カラー・ホイール駆動部１５６及びＤＭＤ駆動部１５２を含み、カラー・ホイール駆動部１５６はカラー・ホイール１３２と電気的に接続され、ＤＭＤ駆動部１５２はディジタル・マイクロミラ・デバイス１３４と電気的に接続され、１３４カラー・ホイール１３２とディジタル・マイクロミラ・デバイス１３４とを制御する。
【０００６】
光源１１０からの光束１１２は、結像ユニット１３０におけるカラー・ホイール１３２に入射し、カラー・ホイール１３２は、制御ユニット１５０におけるカラー・ホイール駆動部１５６に制御され動作し、光束１１２を順次色の異なる光束に分解する。続いて、これら色の異なる光束１１２は順次ディジタル・マイクロミラ・デバイス１３４に入射する。ディジタル・マイクロミラ・デバイス１３４は、複数の画素ユニットを有し、これら画素ユニットはＤＭＤ駆動部１５２に制御され、ＯＮ状態又はＯＦＦ状態に設定される。ＯＮ状態の画素ユニットは、光束１１２を投影レンズ１２０へ反射し、ＯＦＦ状態の画素ユニットは、光束１１２は投影レンズ１２０へ入射しないように光束１１２を偏向させる。投影レンズ１２０は、ディジタル・マイクロミラ・デバイス１３４により処理された光束をスクリーンＳへ投影し、映像を形成する。
【０００７】
上記のように、従来のプロジェクター１００は、赤色フィルタ（Ｒ）、緑色フィルタ（Ｇ）と青色フィルタ（Ｂ）からなるカラー・ホイール１３２を採用している。しかし、隣接するフィルタの間に光が散乱され、これにより、スクリーンＳに形成された映像の色飽和度が低下する。また、黒画面の場合（即ち、ディジタル・マイクロミラ・デバイス１３４のすべての画素ユニットがＯＦＦ状態にある）であっても、散乱光が存在するので、画像のコントラスト比が低下する。
【０００８】
映像の輝度を高め、プロジェクター１００に高輝度及び高飽和度の特性を持たせるために、従来は、カラー・ホイール１３２において、赤色フィルタ（Ｒ）、緑色フィルタ（Ｇ）と青色フィルタ（Ｂ）に加えて、白色フィルタ（Ｗ）を設け、映像の輝度を高める。しかし、この場合は、映像の色飽和度が低下する。そこで、高い色飽和度が要求される場合は、ＤＭＤ駆動部１５２は白色フィルタを透過した光束の全部又は一部を処理せず、若しくは、各色のフィルタを透過した光束の全部又は一部を処理せず、飽和度を向上させる方法が採用された。この場合は、高輝度状態で、白画面の輝度はＲ、Ｇ、Ｂ、Ｗ光束により決められ、黒画面の輝度はＲ、Ｇ、Ｂ、Ｗ光束の散乱光により決められ、高飽和度状態で、白画面の輝度はＲ、Ｇ、Ｂ光束により決められ、黒画面の輝度はＲ、Ｇ、Ｂ、Ｗの光束の散乱光により決められる。従って、高飽和度の状態で、白画面の輝度は低く、黒画面の場合、Ｗ光束の散乱光が依然存在し、黒画面の輝度は変わっていない。従って、高飽和度の状態では、コントラスト比は低下する。
【０００９】
図２は、従来のプロジェクター１００による映像の特性を示すテーブルである。
【００１０】
即ち、従来のプロジェクターは、例えば、高輝度、高飽和度など複数の使用態様にわたって、同時に良好なコントラスト比を維持することができない。
【発明の開示】
【発明が解決しようとする課題】
【００１１】
本発明の目的は、複数の使用態様において良好なコントラスト比が得られるプロジェクターを提供することにある。
【課題を解決するための手段】
【００１２】
本発明の第１の観点のプロジェクターは、照明光を発する光源と、前記照明光を前記スクリーンへ投射する投影レンズと、前記光源と前記投影レンズの間に設けられる結像ユニットと、前記光源と前記スクリーンの間に設けられ、前記照明光の光路に設置可能な光束遮断モジュールとを有し、前記結像ユニットは、色生成手段と、ライトバルブとを含み、前記光束遮断モジュールは、前記照明光の光路に設置された場合に、前記色生成手段の状態に応じて所定の時間内に前記照明光を遮断する。
【００１３】
一実施形態として、前記色生成手段は、カラー・ホイールを含み、前記カラー・ホイールは、赤色フィルタ、緑色フィルタ、及び青色フィルタを含み、或いは、前記カラー・ホイールは、赤色フィルタ、緑色フィルタ、青色フィルタ、及び白色フィルタを含む。
【００１４】
また、一実施形態として、前記色生成手段は、カラー・ドラムを含み、前記カラー・ドラムは、赤色フィルタ、緑色フィルタ、及び青色フィルタを含み、或いは、前記カラー・ドラムは、赤色フィルタ、緑色フィルタ、青色フィルタ、及び白色フィルタを含む。
【００１５】
また、一実施形態として、前記光束遮断モジュールは、前記色生成手段の近傍に配置され、前記色生成手段の状態を測定する光センサーと、前記光源と前記スクリーンの間に設けられる光束遮断ユニットと、前記光束遮断ユニットを前記照明光の光路に設置し、または、前記光束遮断ユニットを前記照明光の光路から離れさせる駆動部とを有する。
【００１６】
当該光束遮断ユニットは前記光源と前記結像ユニットの間に設けられ、或いは、前記結像ユニットに設けられ、或いは、前記結像ユニットと前記投影レンズの間に設けられ、或いは、前記投影レンズに設けられ、或いは、前記投影レンズと前記スクリーンの間に設けられる。
【００１７】
前記プロジェクターは、前記色生成手段、前記ライトバルブ、及び前記光束遮断モジュールが同期に動作するように制御を行う制御ユニットをさらに有する。
【００１８】
或いは、前記プロジェクターは、前記ライトバルブを制御する第１の制御部と、前記光束遮断ユニットを制御する第２の制御部と、前記色生成手段を制御する第３の制御部と  を備える制御ユニットを更に有し、当該第１の制御部、第２の制御部、及び第３の制御部は、前記色生成手段、前記ライトバルブ、及び前記光束遮断モジュールが同期に動作するように制御を行う。
【００１９】
本発明の第２の観点のプロジェクターは、第１のモードと第２のモードで動作可能であり、スクリーン上に映像を投写するプロジェクターであって、照明光を発する光源と、前記照明光を前記スクリーンへ投射する投影レンズと、前記光源と前記投影レンズの間に設けられる結像ユニットと、前記光源と前記スクリーンの間に設けられ、前記照明光の光路に設置可能な光束遮断モジュールとを有し、前記結像ユニットは、色生成手段と、ライトバルブとを含み、前記第１のモードにおいて、前記光束遮断モジュールは前記照明光の光路に設置され、所定の時間内に前記照明光を遮断し、前記第２のモードにおいて、前記光束遮断モジュールは前記照明光の光路に設置されていない。
【００２０】
例えば、前記第１のモードは、高飽和度モードであり、前記第２のモードは、高輝度モードである。
【発明の効果】
【００２１】
本発明のプロジェクターにおいて、光路に設置可能な光束遮断モジュールを設けることにより、当該光束遮断モジュールは色生成手段の状態に応じて所定の時間内に照明光を遮断する。その結果、本発明のプロジェクターは、複数の使用態様で高いコントラスト比が得られる。
【発明を実施するための最良の形態】
【００２２】
次に、添付した図面を参照しながら、本発明の音声出力装置の実施形態を説明する。
【００２３】
図３は本発明の実施形態に係る単板式ライトバルブ・プロジェクターの構成を示す概略図である。
【００２４】
図３に示すように、本発明の実施形態に係るプロジェクター２００は、照明光２１２を発する光源２１０、照明光２１２をスクリーンＳへ投射する投影レンズ２２０、光源２１０と投影レンズ２２０の間に設けられる結像ユニット２３０、及び光束遮断モジュール２４０を有する。
【００２５】
本実施形態において、結像ユニット２３０は、色生成手段２３２と、色生成手段２３２の後方に設けられているライトバルブ２３４を含む。光束遮断モジュール２４０は、光源２１０とスクリーンＳの間に設けられ、照明光２１２の光路に設置し、また、外すことができるように構成されている。光束遮断モジュール２４０は、照明光２１２の光路に設置された場合に、色生成手段２３２の状態に応じて所定の時間内に照明光２１２を遮断する。
【００２６】
例えば、色生成手段２３２は、カラー・ホイール或いはカラー・ドラムを含む。図３においては、カラー・ホイールが用いられている。例えば、当該カラー・ホイールは、赤色（Ｒ）フィルタ、緑色（Ｇ）フィルタ、及び青色（Ｂ）フィルタを有する。或いは、当該カラー・ホイールは、赤色（Ｒ）フィルタ、緑色（Ｇ）フィルタ、青色（Ｂ）フィルタ、及び白色（Ｗ）フィルタを有する。さらに、当該カラー・ホイールは、黄色（Ｙ）フィルタ、マゼンタ（Ｍ）フィルタ、及びシアン（Ｃ）フィルタを有し、また、黄色（Ｙ）フィルタ、マゼンタ（Ｍ）フィルタ、シアン（Ｃ）フィルタ、及び白色（Ｗ）フィルタを有しても良い。
【００２７】
また、本実施形態において、光束遮断モジュール２４０は、色生成手段２３２の近傍に配置され、色生成手段２３２の状態を測定する光センサー２４２、光源２１０とスクリーンＳの間に設けられる光束遮断ユニット２４４、及び光束遮断ユニット２４４を照明光２１２の光路に設置し、または、光束遮断ユニット２４４を照明光の光路から離れさせる駆動部２４６を有する。
【００２８】
光束遮断ユニット２４４は、例えば、金属片、或いは、表面に黒塗りされた板状部材であり、照明光２１２を反射又は吸収する。駆動部２４６は、例えば、モータ、或いは、磁性スイッチである。
【００２９】
図５Ａ〜図５Ｄは、本発明の実施形態に係るプロジェクター２００の概略構成図であり、光束遮断ユニット２４４の配置例を示す。
【００３０】
図３において、光束遮断ユニット２４４は結像ユニット２３０に設けられている。また、図５Ａ〜図５Ｄに示すように、光束遮断ユニット２４４は、光源２１０とスクリーンＳの間に他の場所に配置されても良い。
【００３１】
図５Ａにおいて、光束遮断ユニット２４４は光源２１０と結像ユニット２３０の間に設けられ、具体的に、光源２１０と色生成手段２３２の間に設けられている。
【００３２】
図５Ｂにおいて、光束遮断ユニット２４４は結像ユニット２３０と投影レンズ２２０の間に設けられ、具体的に、ライトバルブ２３４と投影レンズ２２０の間に設けられている。
【００３３】
図５Ｃにおいて、光束遮断ユニット２４４は投影レンズ２２０の中に設けられている。
【００３４】
図５Ｄにおいて、光束遮断ユニット２４４は投影レンズ２２０とスクリーンＳの間に設けられている。
【００３５】
再び図３を参照し、プロジェクター２００は制御ユニット２５０をさらに備え、当該制御ユニット２５０は、色生成手段２３２、ライトバルブ２３４、及び光束遮断モジュール２４０が同期に動作するように制御を行う。
【００３６】
制御ユニット２５０は、例えば、回路ボードであり、ライトバルブ２３４を制御する制御部２５２、光束遮断ユニット２４４を制御する制御部２５４、及び色生成手段２３２を制御する制御部２５６を備える。制御部２５２、２５４及び２５６は、ライトバルブ２３４、光束遮断ユニット２４４、及び色生成手段２３２と電気的に接続し、ライトバルブ２３４、光束遮断モジュール２４０（光束遮断ユニット２４４）、及び色生成手段２３２が同期に動作するように制御を行う。
【００３７】
図４は、色生成手段２３２を示す図である。図４は図３における線Ｉ−Ｉに沿ったプロジェクター２００の断面図である。
【００３８】
図３において光束遮断モジュール２４０は照明光２１２の光路に設置されると、照明光２１２は、結像ユニット２３０における色生成手段２３２に照射する。ここで、色生成手段２３２は、赤色（Ｒ）フィルタ、緑色（Ｇ）フィルタ、青色（Ｂ）フィルタ、及び白色（Ｗ）フィルタを有するカラー・ホイールであるとする。当該カラー・ホイールは、制御ユニット２５０における駆動部２５６に制御され動作し、光束２１２を順次赤（Ｒ）、緑（Ｇ）、青（Ｂ）、白（Ｗ）色の光束に分解する。
【００３９】
また、色生成手段２３２の近傍に配置された光センサー２４２は、色生成手段２３２の状態を測定し、色生成手段２３２の状態を示す同期信号を制御ユニット２５０に送る。
【００４０】
続いて、分解された異なる色の光束２１２は、光束遮断ユニット２４４を照射する。このとき、制御ユニット２５０は、光センサー２４２から送られた同期信号に応じて、制御部２５４により駆動部２４６を制御し、光束遮断ユニット２４４を制御して所定の時間内に通過する照明光２１２を遮断する。
【００４１】
本実施形態において、例えば、白色（Ｗ）フィルタを通過する光束を遮断する、或いは、隣接するフィルタの間の領域Ｅに生じた散乱光を遮断し、映像の色飽和度を向上する。また、白色（Ｗ）フィルタを通過する光束と領域Ｅに生じた散乱光を同時に遮断し、映像の色飽和度及びコントラスト比を向上する。
【００４２】
続いて、遮断されていない光束は、ライトバルブ２３４に入射する。例えば、ライトバルブ２３４は液晶表示装置、或いは、ディジタル・マイクロミラ・デバイス（ＤＭＤ）、或いは、反射型液晶ＬＣＯＳ（Ｌｉｑｕｉｄ  Ｃｒｙｓｔａｌ  ｏｎ  Ｓｉｌｉｃｏｎ）表示装置である。本実施形態において、ライトバルブ２３４は、複数の画素ユニットを有するディジタル・マイクロミラ・デバイス（ＤＭＤ）であるとする。
【００４３】
ライトバルブ２３４における複数の画素ユニットは、制御部２５２により制御され、ＯＮ状態又はＯＦＦ状態に設定される。ＯＮ状態の画素ユニットは、各色の光束２１２を投影レンズ２２０へ反射し、ＯＦＦ状態の画素ユニットは、光束２１２は投影レンズ２２０へ入射しないように光束２１２を偏向させる。そして、投影レンズ２２０は、ライトバルブ２３４により処理された光束をスクリーンＳへ投影し、映像を形成する。
【００４４】
光束遮断ユニット２４４は、照明光２１２の光路から離れると、映像はスクリーンＳ上に現れる。
【００４５】
比較として、図１に示す従来のプロジェクター１００において、光源１１０からの光束１１２はカラー・ホイール１３２に入射し、カラー・ホイール１３２は制御ユニット１５０におけるカラー・ホイール駆動部１５６に制御され、光束１１２を順次色の異なる光束に分解し、これらの光束１１２は順次ディジタル・マイクロミラ・デバイス１３４に入射する。ディジタル・マイクロミラ・デバイス１３４における複数の画素ユニットは、ＤＭＤ駆動部１５２に制御され、ＯＮ状態又はＯＦＦ状態に設定される。ＯＮ状態の画素ユニットは、光束１１２を投影レンズ１２０へ反射し、ＯＦＦ状態の画素ユニットは、光束１１２は投影レンズ１２０へ入射しないように光束１１２を偏向させる。投影レンズ１２０は、ディジタル・マイクロミラ・デバイス１３４により処理された光束をスクリーンＳへ投影し、映像を形成する。
【００４６】
本実施形態のプロジェクター２００は、光束遮断モジュール２４０を設けることにより、複数の使用態様で（例えば、プレゼンテーションに適した高輝度モードや、映画観賞に適した高飽和度モードなど）、高いコントラスト比が得られる。
【００４７】
例えば、高輝度が要求されるときは（高輝度モード）、光束遮断ユニット２４４を照明光２１２の光路以外に設置し、赤、緑、青、白色の光束を全部通過させ、スクリーンＳ上の映像の輝度を高める。
【００４８】
また、高色飽和度が要求されるときは（高飽和度モード）、光束遮断ユニット２４４を照明光２１２の光路に設置し、所定の時間内に通過する照明光を遮断する。例えば、白色（Ｗ）フィルタを通過する光束と隣接するフィルタの間の領域Ｅに生じた散乱光を同時に遮断する。これにより、映像は赤色、緑色、青色のみにより形成され、映像の色飽和度が向上される。なお、このモードでは、白画面の輝度は若干下がるものの、領域Ｅに生じた散乱光が遮断されたので、黒画面の輝度も下がり、良好なコントラスト比を維持することができる。
【００４９】
図６は、本実施形態に係るプロジェクター２００による映像の特性を示すテーブルである。
【００５０】
本発明により、光路に設置可能な光束遮断モジュールを設けることにより、当該光束遮断モジュールは生成手段の状態に応じて所定の時間内に照明光を遮断する。その結果、本発明のプロジェクターは、複数の動作モードで高いコントラスト比が得られる。
【００５１】
以上、本発明の好ましい実施形態を説明したが、本発明はこれらの実施形態に限定されず、本発明の趣旨を離脱しない限り、本発明に対するあらゆる変更は本発明の範囲に属する。
【図面の簡単な説明】
【００５２】
【図１】従来の単板式ライトバルブ・プロジェクターの構成を示す概略図である。
【図２】従来のプロジェクターによる映像の特性を示すテーブルである。
【図３】本発明に係る単板式ライトバルブ・プロジェクターの構成を示す概略図である。
【図４】本発明に係るプロジェクターにおける色生成手段を示す図である。
【図５Ａ】本発明に係るプロジェクターの概略構成図であり、光束遮断ユニットの配置例を示す。
【図５Ｂ】本発明に係るプロジェクターの概略構成図であり、光束遮断ユニットの配置例を示す。
【図５Ｃ】本発明に係るプロジェクターの概略構成図であり、光束遮断ユニットの配置例を示す。
【図５Ｄ】本発明に係るプロジェクターの概略構成図であり、光束遮断ユニットの配置例を示す。
【図６】本発明に係るプロジェクターによる映像の特性を示すテーブルである。
【符号の説明】
【００５３】
１００、２００  プロジェクター
１１０、２１０  光源
１１２、２１２  照明光
１２０、２２０  投影レンズ
１３０、２３０  結像ユニット
１３２          カラー・ホイール
１３４          ディジタル・マイクロミラ・デバイス（ＤＭＤ）
１５０、２５０  制御ユニット
２３２          色生成手段
２３４          ライトバルブ
２４０          光束遮断モジュール
２４２          光センサー
２４４          光束遮断ユニット２４４
２４６          駆動部
２５２、２５４、２５６  制御部
Ｓ              スクリーン
【図１】
2006053509.tif 000003
【図２】
2006053509.tif 000004
【図３】
2006053509.tif 000005
【図４】
2006053509.tif 000006
【図５Ａ】
2006053509.tif 000007
【図５Ｂ】
2006053509.tif 000008
【図５Ｃ】
2006053509.tif 000009
【図５Ｄ】
2006053509.tif 000010
【図６】
2006053509.tif 000011